Podtech/llm-jp-corpus-v4-ja_patent huggingface dataset:
【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
少なくとも１つの信号入力ポート（ＰＩＮ−Ｓｉｇｎａｌ）の上流に配置された少なくとも１つの受光コンポーネント（ＰＤ）、特に、少なくとも１つの光ダイオードによってデジタル光信号（Ｓ）を受信するための回路装置（Ｅ）であって、
少なくとも１つの電流源（ＩＤＡＣ）によって提供され得る補償電流（ＩＤＣ）を定義するための少なくとも１つのデジタルレジスタ（ＭＭ，ＭＣ）を備え、前記少なくとも１つのデジタルレジスタ（ＭＭ，ＭＣ）によって、前記信号入力ポート（ＰＩＮ−Ｓｉｇｎａｌ）を介して受光コンポーネント（ＰＤ）からのユニポーラ電流信号（ＩＰＤ）がダイポーラ電流信号（ＩＰＤ−ＩＤＣ）に変換され得ることを特徴とする回路装置。
【請求項２】
前記補償電流（ＩＤＣ）は、少なくとも１つの静的デジタル信号によって、特に、例えば、１ビットよりも長い少なくとも１つの静的デジタルデータワードによって設定又は適合され得る、及び／又は決定されることを特徴とする請求項１に記載の回路装置。
【請求項３】
前記デジタルレジスタ（ＭＭ，ＭＣ）は、
少なくとも１つの、特に、プログラマブル及び／又は特に回路内メモリモジュール（ＭＭ）、及び／又は
特に、前記メモリモジュール（ＭＭ）に関連する少なくとも１つのメモリコントローラ（ＭＣ）、を備えることを特徴とする請求項１又は２に記載の回路装置。
【請求項４】
前記電流源（ＩＤＡＣ）は、前記メモリモジュール（ＭＭ）の下流に配置された少なくとも１つの電流デジタル／アナログ変換器として構成されることを特徴とする請求項３に記載の回路装置。
【請求項５】
前記信号入力ポート（ＰＩＮ−Ｓｉｇｎａｌ）の下流に配置されたトランスインピーダンス増幅器として構成される少なくとも１つの入力ステージ（ＩＳ）を備えることを特徴とする請求項１乃至４のいずれか１項に記載の回路装置。
【請求項６】
前記デジタルレジスタ（ＭＭ，ＭＣ）、特に、前記メモリモジュール（ＭＭ）の下流に配置された電圧デジタル／アナログ変換器（ＶＤＡＣ）を備え、前記電圧デジタル／アナログ変換器（ＶＤＡＣ）によって、前記入力ステージ（ＩＳ）が適合、特に、制御及び／又は調節され得る請求項５に記載の回路装置。
【請求項７】
前記回路装置（Ｅ）の出力ポート（ＤＯＵＴ＋，ＤＯＵＴ−）で、少なくとも１つの、特に、差動出力信号を提供するために前記入力ステージ（ＩＳ）の下流に配置された少なくとも１つのエンドステージ（ＦＳ）を備えることを特徴とする請求項１乃至６のいずれか１項に記載の回路装置。
【請求項８】
前記入力ステージ（ＩＳ）からの信号の振幅に適合するために、特に、前記入力ステージ（ＩＳ）の下流及び／又は前記エンドステージ（ＦＳ）の上流に配置された少なくとも１つの主ステージ又は中間ステージ（ＰＳ）を備えることを特徴とする請求項１乃至７のいずれか１項に記載の回路装置。
【請求項９】
約２．５ボルトから約３．３ボルトの範囲内で少なくとも１つの外部印加供給電圧（ＶＳｕｐｐｌｙ）を有することを特徴とする請求項１乃至８のいずれか１項に記載の回路装置。
【請求項１０】
前記外部印加供給電圧（ＶＳｕｐｐｌｙ）よりも小さい、特に、約１．０ボルトから約１．５ボルトの追加の供給電圧（ＶＣＯＲＥ）を発生するための少なくとも１つの電圧調整器（ＶＲ）を備えることを特徴とする請求項９に記載の回路装置。
【請求項１１】
信号入力ポート（ＰＩＮ−Ｓｉｇｎａｌ）の上流に配置された少なくとも１つの受光コンポーネントＰＤ、特に、少なくとも１つの光ダイオードによってデジタル光信号（Ｓ）を受信するための方法であって、
前記信号入力ポート（ＰＩＮ−Ｓｉｇｎａｌ）を介した前記受光コンポーネント（ＰＤ）からのユニポーラ電流信号（ＩＰＤ）は、少なくとも１つの電流源（ＩＤＡＣ）によって提供される補償電流（ＩＤＣ）によってダイポーラ電流信号（ＩＰＤ−ＩＤＣ）に変換され、前記補償電流の値が、少なくとも１つのデジタルレジスタ（ＭＭ，ＭＣ）によって定義されることを特徴とする方法。
【請求項１２】
前記信号入力ポート（ＰＩＮ−Ｓｉｇｎａｌ）は、前記デジタルレジスタ（ＭＭ，ＭＣ）に関連する少なくとも１つのメモリコントローラ（ＭＣ）によって前記ユニポーラ電流信号（ＩＰＤ）の指定の論理レベル、特に、論理“０”及び／又は論理“１”に対して設定され、そこでは、前記メモリコントローラは、少なくとも１つの、特にプログラマブル及び／又は特に回路内メモリモジュール（ＭＭ）にアクセス可能であることを特徴とする請求項１１に記載の方法。
【請求項１３】
前記ユニポーラ電流信号（ＩＰＤ）は、前記補償電流（ＩＤＣ）が、前記入力ポート（ＰＩＮ−Ｓｉｇｎａｌ）から基準電位（ＧＮＤ）、特に、アース電位又は接地電位又はゼロ電位、に抗するように向けられる又は下げられるように、前記電流源（ＩＤＡＣ）によって変更されることを特徴とする請求項１１又は１２に記載の方法。
【請求項１４】
トランスインピーダンス増幅器として構成され且つ前記信号入力ポート（ＰＩＮ−Ｓｉｇｎａｌ）の下流に配置された少なくとも１つの入力状態（ＩＳ）の増幅が、少なくとも１つの電圧デジタル／アナログ変換器（ＶＤＡＣ）によって適合、特に、制御及び／又は調節されることを特徴とする請求項１１乃至１３のいずれか１項に記載の方法。
【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
固定具においてキーアセンブリの複数の層を載置するステップであって、前記固定具の１又は複数の突起が、１又は複数の層の各層の１又は複数の開口部を通って配置され、前記キーアセンブリは、前記キーアセンブリに通信可能に接続されるコンピュータ装置に通信される入力を開始するために、可撓性コンタクト層により接触されるように構成されているセンサー基板を含む、ステップと、
前記の載置された複数の層を互いに対して固定するステップと、を含む
方法。
【請求項２】
前記キーアセンブリは、複数の感圧キーを含む、
請求項１記載の方法。
【請求項３】
入力を開始する圧力を受けるように構成される表面が前記固定具の表面に対向して位置する順番になるように、前記キーアセンブリの前記複数の層が載置される、
請求項１記載の方法。
【請求項４】
前記キーアセンブリは、力集中装置を含み、前記力集中装置は、前記力集中装置に加えられた圧力を前記キーアセンブリの複数のキーの夫々へ方向づけるように構成される、
請求項１記載の方法。
【請求項５】
前記キーアセンブリは、１又は複数の表面実装ハードウェア要素を有する支持基板を含む、
請求項１記載の方法。
【請求項６】
前記固定は、熱活性フィルムを用いて実施される、
請求項１記載の方法。
【請求項７】
前記固定は、接着剤の複数の分離された部分を有するマトリクスを含む接着層を用いて実施される、
請求項１記載の方法。
【請求項８】
キーアセンブリの複数の層が載置されている固定具であって、前記固定具の１又は複数の突起が、１又は複数の層の各層の１又は複数の開口部を通って配置されており、前記キーアセンブリが、前記キーアセンブリに通信可能に接続されるコンピュータ装置に通信される入力を開始するために、可撓性コンタクト層により接触されるように構成されているセンサー基板を含み、前記の載置されている複数の層が互いに対して固定されている、固定具、を備えている
システム。
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
プロセッサー回路と、
コンテンツ・ファイルのためのファイル記述子を管理するように前記プロセッサー回路上で動作可能なファイル記述子アプリケーションと、
を備え、前記ファイル記述子アプリケーションは、
クライアント・アプリケーションからファイル記述子要求を受け取るステップと、
コンテンツ・ファイルのためのファイル記述子またはファイル記述子作成情報を生成するステップであって、前記ファイル記述子は前記コンテンツ・ファイルの内容のプレビューを提供し、前記ファイル記述子作成情報は前記ファイル記述子を生成するために前記クライアント・アプリケーションによって使用されるためのものである、ステップと、
前記コンテンツ・ファイルに対して行われた変更を前記ファイル記述子と同期させるステップと、
前記ファイル記述子またはファイル記述子作成情報と共にファイル記述子応答を前記クライアント・アプリケーションへ送るステップと、
を実施するように構成される、装置。
【請求項２】
前記ファイル記述子アプリケーションは、前記ファイル記述子のためのファイル記述子モデルを引き出し、前記ファイル記述子モデルに基づいて前記コンテンツ・ファイルから１または複数のコンテンツ部分を抽出し、前記抽出されたコンテンツ部分の各々をコンテンツ部分識別子を用いて識別するように動作可能なファイル記述子抽出コンポーネントを備え、前記抽出されたコンテンツ部分の各々は、前記ファイル記述子のファイル記述子表面のファイル記述子タイルに対応する、請求項１に記載の装置。
【請求項３】
前記ファイル記述子アプリケーションは、前記コンテンツ・ファイルから抽出されたコンテンツ部分を交換コンテンツ部分と置換するように動作可能なファイル記述子置換コンポーネントを備える、請求項１に記載の装置。
【請求項４】
前記ファイル記述子アプリケーションは、ファイル記述子モデルに基づいて、前記コンテンツ・ファイルから抽出された１または複数のコンテンツ部分から前記ファイル記述子を生成するように動作可能なファイル記述子組み立てコンポーネントを備える、請求項１に記載の装置。
【請求項５】
前記ファイル記述子アプリケーションは、前記コンテンツ・ファイルのための前記ファイル記述子を生成するために前記クライアント・アプリケーションによって使用される前記ファイル記述子作成情報を生成するように動作可能なファイル記述子組み立てコンポーネントを備え、前記ファイル記述子作成情報は、ファイル記述子表面を有するファイル記述子モデルと、前記コンテンツ・ファイルから抽出された１または複数のコンテンツ部分を提示するように構成された１または複数のファイル記述子タイルとを含む、請求項１に記載の装置。
【請求項６】
前記ファイル記述子アプリケーションは、前記コンテンツ・ファイルのための前記ファイル記述子を生成するために前記クライアント・アプリケーションによって使用される前記ファイル記述子作成情報を生成するように動作可能なファイル記述子組み立てコンポーネントを備え、前記ファイル記述子作成情報は、ファイル記述子モデル識別子と、ファイル記述子モデルのファイル記述子タイルを識別するための少なくとも１つのファイル記述子タイル識別子と、前記ファイル記述子タイル識別子によって識別された前記ファイル記述子タイルに対応する前記コンテンツ・ファイルのコンテンツ部分を識別するための少なくとも１つのコンテンツ部分識別子とを含む、請求項１に記載の装置。
【請求項７】
前記ファイル記述子アプリケーションは、前記コンテンツ・ファイルのコンテンツ部分に対する変更を前記ファイル記述子の前記コンテンツ・ファイルから抽出された対応するコンテンツ部分と同期させるように動作可能なファイル記述子同期コンポーネントを備える、請求項１に記載の装置。
【請求項８】
コンテンツ・ファイルのためのファイル記述子またはファイル記述子作成情報を生成するファイル記述子要求を受け取るステップであって、前記ファイル記述子は前記コンテンツ・ファイルの内容のプレビューを提供し、前記ファイル記述子作成情報は前記コンテンツ・ファイルのための前記ファイル記述子を生成するためにクライアント・アプリケーションによって使用されるためのものである、ステップと、
プロセッサー回路によって、前記ファイル記述子要求に対するファイル記述子応答を生成するステップと、
前記ファイル記述子応答を前記クライアント・アプリケーションへ送るステップと、
を含むコンピューター実装方法。
【請求項９】
前記ファイル記述子のためのファイル記述子モデルを引き出すステップを含む、請求項８に記載のコンピューター実装方法。
【請求項１０】
ファイル記述子モデルに基づいて、前記コンテンツ・ファイルから１または複数のコンテンツ部分を抽出するステップを含む、請求項８に記載のコンピューター実装方法。
【請求項１１】
前記コンテンツ・ファイルから抽出された１または複数のコンテンツ部分を識別するステップを含む、請求項８に記載のコンピューター実装方法。
【請求項１２】
前記コンテンツ・ファイルの抽出されたコンテンツ部分に対して交換コンテンツ部分を生成するステップを含む、請求項８に記載のコンピューター実装方法。
【請求項１３】
ファイル記述子モデルと前記コンテンツ・ファイルから抽出された１または複数のコンテンツ部分とを含む前記ファイル記述子作成情報を生成するステップを含む、請求項８に記載のコンピューター実装方法。
【請求項１４】
前記コンテンツ・ファイルのための前記ファイル記述子を生成するために前記クライアントによって使用されるファイル記述子作成情報を生成するステップを含み、前記ファイル記述子作成情報は、ファイル記述子モデルに対するファイル記述子モデル識別子と、前記ファイル記述子モデルのファイル記述子タイルに対する１または複数のファイル記述子タイル識別子と、前記ファイル記述子タイルに対応する前記コンテンツ・ファイルから抽出されたコンテンツ部分に対する１または複数のコンテンツ部分識別子とを含む、請求項８に記載のコンピューター実装方法。
【請求項１５】
ファイル記述子モデルに基づいて、前記コンテンツ・ファイルから抽出された１または複数のコンテンツ部分から前記ファイル記述子を生成するステップを含む、請求項８に記載のコンピューター実装方法。
【請求項１６】
前記ファイル記述子応答をファイル記述子作成情報または前記ファイル記述子と共に前記クライアントへ送るステップを含む、請求項８に記載のコンピューター実装方法。
【請求項１７】
前記コンテンツ・ファイルのコンテンツ部分に対する変更を前記ファイル識別子の前記コンテンツ・ファイルから抽出された対応するコンテンツ部分と同期させるステップを含む、請求項８に記載のコンピューター実装方法。
【請求項１８】
１または複数のプロセッサーによって実行されると、請求項１から１７のいずれか１項にしたがってデバイスを動作させるプログラム。
【請求項１９】
請求項１８に記載のプログラムを格納するコンピューター読み取り可能媒体。
【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
一次光を発するよう適応される固体光源と、
前記一次光を受け取るよう配設され、前記一次光を二次光に変換することが可能な波長変換部材であって、前記波長変換部材及び前記固体光源が互いに間隔をおいて配置される波長変換部材と、
前記波長変換部材の光出力側に配設される無吸収部分透明反射器とを有する発光装置であって、前記固体光源によって発された一次光、及び前記波長変換部材によって生成された二次光が、前記発光装置を出るよう前記無吸収部分透明反射器によって透過されることができ、前記無吸収部分透明反射器が、400nmから800nmまでの波長範囲にわたって一様な光反射率を持つ発光装置。
【請求項２】
前記無吸収部分透明反射器が、無吸収層のスタックを有する請求項１に記載の発光装置。
【請求項３】
前記無吸収層のスタックの各層が、400nmから800nmまでの波長範囲にわたって一様な反射率を持つ請求項２に記載の発光装置。
【請求項４】
前記無吸収部分透明反射器が、非金属製のものである請求項１に記載の発光装置。
【請求項５】
前記無吸収部分透明反射器が、誘電材料、ガラス及びプラスチック材料から選択される材料を有する無吸収層を少なくとも１つ有する請求項１に記載の発光装置。
【請求項６】
前記プラスチック材料が、ポリカーボネート、ポリメチルメタクリレート、ポリエチレンテレフタレート及びポリエチレンナフタレートから選択される請求項５に記載の発光装置。
【請求項７】
前記無吸収部分透明反射器が、鏡面反射器である請求項１に記載の発光装置。
【請求項８】
前記無吸収部分透明反射器が、20%から60%までの範囲内の反射率を持つ請求項１に記載の発光装置。
【請求項９】
反射性底部及び少なくとも１つの反射性側壁によって規定される光混合チャンバを有する請求項１に記載の発光装置。
【請求項１０】
前記無吸収部分透明反射器が、光出射窓であって、光が前記光出射窓を通して前記光混合チャンバを出て行き得る光出射窓を形成する請求項９に記載の発光装置。
【請求項１１】
前記波長変換部材が、前記無吸収部分透明反射器の、前記固体光源に面する面に配設される請求項１に記載の発光装置。
【請求項１２】
前記波長変換部材が、前記反射性底部に配設され、前記固体光源が、前記反射性側壁に配設される請求項９に記載の発光装置。
【請求項１３】
請求項１に記載の発光装置を有するランプ。
【請求項１４】
請求項１に記載の発光装置を少なくとも１つ有する照明器具。
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
ネットワーク環境においてマスタネゴシエーションをサポートするための方法であって、
サブネット中のサブネットマネージャ（ＳＭ）を介して前記ネットワーク環境中の前記サブネットに対してサブネットディスカバリーを行なうことを備え、前記サブネットは複数のＳＭを含み、さらに
前記ＳＭを介して、前記サブネット中の他のＳＭと通信してある数の既知の秘密鍵をチェックすることと、
前記複数のＳＭからいずれかのＳＭをマスタＳＭとして選択することとを備え、前記マスタＳＭは最も大きな数の既知の秘密鍵を有する一方で、各々の待機ＳＭは、前記マスタＳＭにとって既知である秘密鍵と同じセットまたはサブセットを有する、方法。
【請求項２】
ネットワーク環境においてマスタネゴシエーションをサポートするためのシステムであって、
１つ以上のマイクロプロセッサと、
前記１つ以上のマイクロプロセッサ上で実行するサブネットマネージャ（ＳＭ）とを備え、
前記ＳＭは、
サブネット中のサブネットマネージャ（ＳＭ）を介して前記ネットワーク環境中の前記サブネットに対してサブネットディスカバリーを行なうように動作し、前記サブネットは複数のＳＭを含み、さらに前記ＳＭは、
前記ＳＭを介して、前記サブネット中の他のＳＭと通信してある数の既知の秘密鍵をチェックするように、かつ
前記複数のＳＭからいずれかのＳＭをマスタＳＭとして選択するように動作し、マスタＳＭは最も大きな数の既知の鍵を有する一方で、各々の待機ＳＭは、マスタＳＭにとって既知である秘密鍵と同じセットまたはサブセットを有する、システム。
【請求項３】
前記ＳＭは、１つ以上の到達可能なポートが１つ以上の既知のM_Keyと関連付けられれば、前記１つ以上の到達可能なポートを発見されたトポロジーの一部として含むように動作する、請求項２に記載のシステム。
【請求項４】
前記ＳＭは、未知の秘密M_Keyを有するポートをサブネットの一部でないものとして扱うように動作し、このポートを超えてはディスカバリーを全く試みない、請求項２または３に記載のシステム。
【請求項５】
前記ＳＭは、
ファームウェアバージョンが混在する場合、
前記複数のＳＭ間で既知の鍵の数を比較する際に結び付きが存在する場合、および
前記複数のＳＭをホスティングする１つ以上のノードが整合状態にある状況でイネーブル／ディスエーブルトランザクションが開始された場合、
の少なくとも１つの場合に、マスタネゴシエーションのための判断基準として優先順位／ＧＵＩＤを用いるように動作する、請求項２〜４のいずれか１項に記載のシステム。
【請求項６】
前記ＳＭは、秘密管理鍵がイネーブルされたＳＭが１つ以上のサブネット管理エージェント（ＳＭＡ）を更新し、最終的にサブネットを管理下におくことを可能にするように動作する、請求項２〜５のいずれか１項に記載のシステム。
【請求項７】
前記ＳＭは、パーティションデーモンと同期して、起動の際に初期ディスカバリーを開始する前に、現在の秘密鍵情報とパーティションコンフィギュレーションのための現在の有効状態との両方を獲得するように動作する、請求項２〜６のいずれか１項に記載のシステム。
【請求項８】
パーティションデーモンは、非対称インターフェイスを用いて、前記ＳＭの状態とは独立して、ランタイムの間に、パーティションコンフィギュレーション有効状態の任意の変化をＳＭに伝送するように動作する、請求項２〜７のいずれか１項に記載のシステム。
【請求項９】
ＳＭは、各々のＳＭと関連付けられるパーティションコンフィギュレーション有効状態に基づいて、前記複数のＳＭからいずれかのＳＭをマスタＳＭとして選択するように動作する、請求項２〜８のいずれか１項に記載のシステム。
【請求項１０】
現在のマスタＳＭは、
パーティションコンフィギュレーション有効状態とともに過渡コミット進行中状態を前記ＳＭに与えるように、かつ
更新トランザクションの実行の間、現在のマスタＳＭと関連付けられるパーティションコンフィギュレーション有効状態を無視するように、動作する、請求項２〜９のいずれか１項に記載のシステム。
【請求項１１】
機械可読プログラムであって、実行されると、システムに、以下のステップを備えるステップを実行させる命令を含んでおり、前記以下のステップは、
サブネット中のサブネットマネージャ（ＳＭ）を介してネットワーク環境中のサブネットに対してサブネットディスカバリーを行なうステップを備え、前記サブネットは複数のＳＭを含み、さらに
前記ＳＭを介して、前記サブネット中の他のＳＭと通信してある数の既知の秘密鍵をチェックするステップと、
前記複数のＳＭからいずれかのＳＭをマスタＳＭとして選択するステップとを備え、前記マスタＳＭは最も大きな数の既知の鍵を有する一方で、各々の待機ＳＭは、前記マスタＳＭにとって既知である秘密鍵と同じセットまたはサブセットを有する、プログラム。
【請求項１２】
請求項１に記載の方法をコンピュータに実現させるためのコンピュータプログラム。
【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
ネットワーク環境において別個のサブネット間のトラフィックをルーティングするための方法であって、
ルータにおいて、前記ルータが担う１つ以上のパケットのルーティング先であるデスティネーションのリストを受信することを含み、前記ルータは、前記ネットワーク環境において少なくとも１つのサブネットに接続しており、さらに、
前記１つ以上のパケットに関連付けられた、ソースローカル識別子（ＬＩＤ）およびデスティネーションＬＩＤに基づいて乱数を生成することと、
モジュロベースのハッシュを用いて、前記ルータの複数の出力ルータポートのうちから１つのルータポートを選択することとを含む、方法。
【請求項２】
ネットワーク環境において別個のサブネット間のトラフィックをルーティングするため
のシステムであって、
１つ以上のマイクロプロセッサと、
前記１つ以上のマイクロプロセッサ上で実行するルータとを備え、前記ルータは、
前記ルータが担う１つ以上のパケットのルーティング先であるデスティネーションのリストを受信するように動作し、前記ルータは、前記ネットワーク環境において少なくとも１つのサブネットに接続しており、さらに、
前記１つ以上のパケットに関連付けられた、ソースローカル識別子（ＬＩＤ）およびデスティネーションＬＩＤに基づいて乱数を生成するように動作し、
モジュロベースのハッシュを用いて、前記ルータの出力ルータポートのうちから１つのポートを選択するように動作する、システム。
【請求項３】
ラウンドロビンパス分散は、前記少なくとも１つのサブネットに接続されたすべての利用可能なルータ間で行なわれる、請求項２に記載のシステム。
【請求項４】
前記モジュロベースのハッシュはルータファームウェアに実装され、前記モジュロベースのハッシュは、前記ソースＬＩＤおよび前記デスティネーションＬＩＤを用いて生成された乱数をとることができる、請求項２または３に記載のシステム。
【請求項５】
前記ルータは、１つ以上のデスティネーショングローバル識別子（ＧＩＤ）と１つ以上のルータポートとの間のポートマッピングをサブネットマネージャから受信するように動作する、請求項２〜４のいずれか１項に記載のシステム。
【請求項６】
前記ルータは、前記ルータによって接続されたサブネットが異なるネットワークトポロジーで構成されることを可能にするように動作する、請求項２〜５のいずれか１項に記載のシステム。
【請求項７】
前記ソースＬＩＤは、前のホップルータの出口ポートに関連付けられる、請求項２〜６のいずれか１項に記載のシステム。
【請求項８】
前記ルータは、所定のソースおよびデスティネーションのペアについて同じ乱数を生成するように動作する、請求項２〜７のいずれか１項に記載のシステム。
【請求項９】
前記ルータは、前記１つ以上のパケットに関連付けられたデスティネーショングローバル識別子（ＧＩＤ）に基づいてデスティネーションローカル識別子（ＬＩＤ）を取得するように動作する、請求項２〜８のいずれか１項に記載のシステム。
【請求項１０】
前記ルータは、グローバル識別子（ＧＩＤ）にあるサブネットプレフィックスに基づいて、次のホップのＬＩＤを取得するように動作する、請求項２〜９のいずれか１項に記載のシステム。
【請求項１１】
前記ルータは、前記少なくとも１つのサブネットがファットツリートポロジーで構成されることを可能にするように動作する、請求項２〜１０のいずれか１項に記載のシステム。
【請求項１２】
実行されると以下のステップをシステムに行なわせる命令を含む機械読取可能なプログラムであって、前記以下のステップは、
ルータにおいて、当該ルータが担う１つ以上のパケットのルーティング先であるデスティネーションのリストを受信することを含み、前記ルータは、ネットワーク環境において少なくとも１つのサブネットに接続しており、さらに、
前記１つ以上のパケットに関連付けられた、ソースローカル識別子（ＬＩＤ）およびデスティネーションＬＩＤに基づいて乱数を生成することと、
モジュロベースのハッシュを用いて、前記ルータの複数の出力ルータポートのうちから１つのルータポートを選択することとを含む、プログラム。
【請求項１３】
請求項１に記載の方法をコンピュータに実行させるためのコンピュータプログラム。
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
少なくとも１つの配向装置または基準装置であって、前記少なくとも１つの配向装置または基準装置それじれは大腿骨または脛骨と結合されるように構成され、前記少なくとも１つの配向装置または基準装置それぞれは慣性センサを備える、少なくとも１つの配向装置または基準装置と、
前記少なくとも１つの配向装置または基準装置の１つまたは複数の慣性センサから測定値を収集し、かつ、前記１つまたは複数の慣性センサからの前記測定値を、脛骨−大腿骨運動力学情報に変換するように計算を実施するように構成されたプロセッサと、
を備えることを特徴とするシステム。
【請求項２】
前記プロセッサは、
前記脛骨−大腿骨運動力学情報を、脛骨−大腿骨運動力学目標値と比較する機能、および
前記脛骨−大腿骨運動力学情報および目標値の一方または両方に対応する出力をユーザに送信する機能、
の１つまたは複数を実施するように構成されることを特徴とする請求項１に記載のシステム。
【請求項３】
前記少なくとも１つの配向装置または基準装置は、大腿骨切断ブロックの配置を案内するように構成されることを特徴とする請求項１に記載のシステム。
【請求項４】
前記脛骨と前記大腿骨との間に配置されるように構成されたインプラントをさらに備えることを特徴とする請求項１に記載のシステム。
【請求項５】
前記インプラントは、前記脛骨と前記大腿骨との間に配置されるように構成された、前記複数の試験用脛骨構成要素の１つをさらに備えることを特徴とする請求項４に記載システム。
【請求項６】
軟部組織運動力学エンベロープと最良に適合する脛骨構成要素位置合せが、最小の脛骨大腿骨接触力を生じる構成として識別されることを特徴とする請求項１に記載のシステム。
【請求項７】
ユーザの出力は、軟部組織解離術を用いて内反弛緩と外反弛緩とを均衡にする従来の目標に向けた、内反弛緩と外反弛緩とを定量的に比較する一手段をもたらすことを特徴とする請求項１に記載のシステム。
【請求項８】
前記少なくとも１つの配向装置または基準装置は、ユーザインターフェイスを備える手術用配向装置を備えることを特徴とする請求項１に記載のシステム。
【請求項９】
前記手術用配向装置は、外科医が、膝に内反トルクと外反トルクとを交互に印加して、各方向において可能となる脛骨−大腿骨回転を計測する際に、内反トルクまたは外反トルクを視覚的に表示するように構成されることを特徴とする請求項８に記載のシステム。
【請求項１０】
前記手術用配向装置は、力が膝にかけられる際に、内反回転または外反回転を視覚的に表示するように構成されることを特徴とする請求項８に記載のシステム。
【請求項１１】
前記手術用配向装置は、前記脛骨−大腿骨運動力学情報を視覚的に表示し、１つまたは複数の試験曲線を術前曲線に重ね合わせるように構成されることを特徴とする請求項８に記載のシステム。
【請求項１２】
前記少なくとも１つの配向装置または基準装置は、大腿骨と結合されるように構成された第１の基準装置と、脛骨と結合されるように構成された第２の基準装置と、を備えることを特徴とする請求項１に記載のシステム。
【請求項１３】
前記プロセッサは、前記第１の基準装置と前記第２の基準装置との間の相対的な位置ずれを計算するために転送アライメントの機能を実施するように構成されることを特徴とする請求項１２に記載のシステム。
【請求項１４】
前記システムは、健康な膝の値に基づいた目標値のセットを備え、前記プロセッサは、患者からの前記脛骨−大腿骨運動力学情報と前記目標値のセットを比較するように構成されることを特徴とする請求項１に記載のシステム。
【請求項１５】
前記システムは、患者から測定された運動力学測定に基づいた目標値のセットを備え、前記プロセッサは、前記患者からの前記脛骨−大腿骨運動力学情報と前記目標値のセットを比較するように構成されることを特徴とする請求項１に記載のシステム。
【請求項１６】
前記少なくとも１つの配向装置または基準装置は、その角度位置および速度を感知する加速度計およびジャイロスコープを備えることを特徴とする請求項１に記載のシステム。
【請求項１７】
前記プロセッサは、第１の回転方向における膝関節弛緩を、第２の回転方向における膝関節弛緩と比較するように構成されることを特徴とする請求項１に記載のシステム。
【請求項１８】
前記プロセッサは、膝が完全に伸展したとき、または、膝が屈曲できる他の任意の角度における膝関節弛緩を定量化する機能を実施するように構成されることを特徴とする請求項１に記載のシステム。
【請求項１９】
前記プロセッサは、屈曲、軸方向回転、および／または内反−外反の１つまたは複数について、脛骨−大腿骨運動力学を示す、前記少なくとも１つの配向装置または基準装置の少なくとも１つの前記慣性センサの出力に基づいた値を、脛骨−大腿骨運動力学目標値と比較するように構成されることを特徴とする請求項１に記載のシステム。
【請求項２０】
前記比較する機能が、前記慣性センサの出力に基づいた値を、健康な膝で得られるモデル値と比較する機能をさらに含むことを特徴とする請求項１９に記載のシステム。
【請求項２１】
前記比較する機能が、前記慣性センサの出力に基づいた値を、１つまたは複数の患者固有値と比較する機能をさらに含む、請求項１９に記載のシステム。
【請求項２２】
前記プロセッサは、膝の脛骨−大腿骨運動力学の患者固有値を記録してから、前記脛骨を切除するように構成されることを特徴とする請求項１９に記載のシステム。
【請求項２３】
前記プロセッサは、対側膝の脛骨−大腿骨運動力学の患者固有値を記録してから、前記脛骨を切除するように構成されることを特徴とする請求項１９に記載のシステム。
【請求項２４】
前記プロセッサは、内反弛緩と外反弛緩とを定量的に比較するように構成されることを特徴とする請求項１９に記載のシステム。
【請求項２５】
前記少なくとも１つの配向装置または基準装置は、大腿骨と結合されるように構成された第１の基準装置と、脛骨と結合されるように構成された第２の基準装置と、を備えることを特徴とする請求項１９に記載のシステム。
【請求項２６】
前記プロセッサは、前記慣性センサの少なくとも１つからの測定に基づいた情報を、脛骨−大腿骨運動力学目標値と比較するように構成されることを特徴とする請求項１に記載のシステム。
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
磁気共鳴環境における生体電位測定に用いられる電極パッチであって、
プラスチック又はポリマーシートと、
前記プラスチック又はポリマーシートに配置され、１ohm/square又はこれより高いシート抵抗を持つ導電性トレースと、
前記導電性トレースに配置され、人間の皮膚に取付けられるよう構成される電極とを有する電極パッチ。
【請求項２】
磁気共鳴環境における生体電位測定に用いられる電極パッチであって、
プラスチック又はポリマーシートと、
前記プラスチック又はポリマーシートに配置される炭素ベースの導電性トレースと、
前記炭素ベースの導電性トレースに配置され、人間の皮膚に取付けられるよう構成される電極とを有する電極パッチ。
【請求項３】
前記炭素ベースの導電性トレースが、１ohm/square又はこれより高いシート抵抗を持つ、請求項２に記載の電極パッチ。
【請求項４】
前記導電性トレースが、黒鉛ベースのトレースを有する、請求項１乃至３のいずれか一項に記載の電極パッチ。
【請求項５】
前記導電性トレースが、スクリーン印刷により前記プラスチック又はポリマーシートに堆積される炭素ベースのインクを有する、請求項１乃至４のいずれか一項に記載の電極パッチ。
【請求項６】
前記電極が、前記導電性トレースに配置され、人間又は動物の皮膚に取り付けられるよう構成される取付け層を備える、請求項１乃至５のいずれか一項に記載の電極パッチ。
【請求項７】
前記取付け層が、塩化銀を含む、請求項６に記載の電極パッチ。
【請求項８】
前記取付け層が、人間又は動物の皮膚への取り付けのための接着剤として機能する塩化銀ベースの電解質層である、請求項６に記載の電極パッチ。
【請求項９】
前記電極が更に、前記導電性トレースと前記塩化銀ベースの電解質層との間の配置される銀の層を含む、請求項８に記載の電極パッチ。
【請求項１０】
前記電極が、前記導電性トレースを有する物質より電気導電的な、前記導電性トレースに配置される電気伝導性物質の層を含み、請求項１乃至９のいずれか一項に記載の電極パッチ。
【請求項１１】
前記電気伝導性物質の層が、銀を有する、請求項１０に記載の電極パッチ。
【請求項１２】
前記導電性トレース及び前記プラスチック又はポリマーシートにわたり配置される電気絶縁保護層を更に有し、
前記電気絶縁保護層が、前記電極をカバーしない、請求項１乃至１１のいずれか一項に記載の電極パッチ。
【請求項１３】
前記電気絶縁保護層が、泡熱絶縁層を有する、請求項１２に記載の電極パッチ。
【請求項１４】
前記導電性トレースが延在する前記プラスチック又はポリマーシートの突起により定められるケーブルを含む、請求項１乃至１３のいずれか一項に記載の電極パッチ。
【請求項１５】
ケーブルと接続するよう構成されるコネクタを更に有する、請求項１乃至１３のいずれか一項に記載の電極パッチ。
【請求項１６】
生体電位測定装置であって、
請求項１乃至１５のいずれか一項に記載の電極パッチと、
生体電位測定を受信するよう構成されるモニタ又はレシーバユニットと、
前記モニタ又はレシーバユニットと前記電極パッチの前記電極とを電気的に接続するケーブルとを有する、生体電位測定装置。
【請求項１７】
前記生体電位測定は、心電図記録法測定である、請求項１６の生体電位測定装置。
【請求項１８】
前記生体電位測定は、心電図記録法測定、筋電図記録法測定、脳波記録法測定及び網膜電図記録法測定のいずれかである、請求項１６の生体電位測定装置。
【請求項１９】
磁気共鳴スキャナと、
請求項１６乃至１８の任意の一項に記載の生体電位測定装置とを有するシステムであって、
前記電極パッチが、前記磁気共鳴スキャナの検査領域に配置される、システム。
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
成形された、加圧された呼吸ガスのフローを被験者の気道へ供給する気流成形システムであって、
吸気及び排気の間、前記被験者の気道への供給用の呼吸ガスのフローを生成する圧力発生器と、
前記圧力発生器を前記被験者の気道と流体連通させる被験者インターフェースと、
フローシェーパであって、気流が物理的な三次元空間において幾何学的形状を持つとともに、前記ガスのフローが前記フローシェーパによって与えられる供給形状で前記被験者インターフェースを通じて前記被験者の気道に達するように、前記呼吸ガスのフローに供給形状を与える、フローシェーパと
を有する、システム。
【請求項２】
コンピュータプログラムモジュールを実行する一つ以上のプロセッサをさらに有し、前記コンピュータプログラムモジュールが前記フローシェーパを制御するフロー形状制御モジュールを有する、請求項１に記載のシステム。
【請求項３】
前記ガスのフローの一つ以上のパラメータに関する情報を伝える一つ以上の出力信号を生成する一つ以上のセンサと、
コンピュータプログラムモジュールを実行する一つ以上のプロセッサをさらに有し、
前記コンピュータプログラムモジュールが、
前記出力信号に基づいて治療法に従って前記圧力発生器を制御する圧力発生器制御モジュールであって、持続的気道陽圧補助治療法、二相式圧補助治療法、若しくは強制呼吸治療法の一つ以上に従って前記圧力発生器を制御する、圧力発生器制御モジュールを有する、
請求項１に記載のシステム。
【請求項４】
前記フローシェーパが、持続的気道陽圧補助治療法、二相式圧補助治療法、若しくは強制呼吸治療法の一つ以上に前記与えられた形状を重ね合わせる、請求項３に記載のシステム。
【請求項５】
前記フローシェーパによって与えられる形状が、サイクロン気流、及び／又は一連の空気渦を有し、一連の空気渦における１又は複数の個別の空気渦がガスの渦輪を有する、請求項１に記載のシステム。
【請求項６】
気流成形システムで被験者の気道へ運ばれる、成形された、加圧された呼吸ガスのフローを生成する方法であって、前記気流成形システムが圧力発生器と、被験者インターフェースと、フローシェーパとを有する方法において、
吸気及び排気の間、前記圧力発生器で前記加圧された呼吸ガスのフローを生成するステップと、
前記被験者インターフェースで前記加圧された呼吸ガスのフローを前記被験者の気道へ連通させるステップと、
気流が物理的な三次元空間において幾何学的形状を持つとともに、前記ガスのフローが前記フローシェーパによって与えられる供給形状で前記被験者インターフェースを通じて前記被験者の気道に達するように、前記フローシェーパで前記加圧された呼吸ガスのフローに供給形状を与えるステップと
を有する、方法。
【請求項７】
前記フローシェーパによる前記供給形状の付与を制御するようにプロセッサ上のフロー形状制御モジュールを実行するステップをさらに有し、前記気流成形システムが前記プロセッサをさらに有し、前記プロセッサが前記フロー形状制御モジュールを含むコンピュータプログラムモジュールを実行する、請求項６に記載の方法。
【請求項８】
前記気流成形システムが一つ以上のセンサと一つ以上のプロセッサをさらに有し、前記一つ以上のセンサで前記ガスのフローの一つ以上パラメータに関する情報を伝える一つ以上の出力信号を生成するステップと、前記一つ以上のプロセッサ上でコンピュータプログラムモジュールを実行するステップとをさらに有し、前記コンピュータプログラムモジュールを実行するステップが、
前記出力信号に基づいて治療法に従って前記呼吸ガスのフローの生成を制御するステップを有し、前記治療法が持続的気道陽圧補助治療法、二相式圧補助治療法、若しくは強制呼吸治療法の一つ以上を有する、
請求項６に記載の方法。
【請求項９】
持続的気道陽圧補助治療法、二相式圧補助治療法、若しくは強制呼吸治療法の一つ以上に、前記与えられた形状を重ね合わせるステップをさらに有する、請求項８に記載の方法。
【請求項１０】
前記与えられる形状が、サイクロン気流、及び／又は一連の空気渦を有し、一連の空気渦における１又は複数の個別の空気渦がガスの渦輪を有する、請求項６に記載の方法。
【請求項１１】
成形された、加圧された呼吸ガスのフローを被験者の気道に供給する気流成形システムであって、
吸気及び排気の間、前記加圧された呼吸ガスのフローを生成するための手段と、
前記加圧された呼吸ガスのフローを前記被験者の気道へ連通させるための手段と、
前記加圧された呼吸ガスのフローに供給形状を与えるための手段であって、気流が物理的な三次元空間において幾何学的形状を持つとともに、前記ガスのフローが前記与えるための手段によって与えられる前記供給形状で前記連通させるための手段を通じて前記被験者の気道に達するようにする、手段と
を有する、システム。
【請求項１２】
コンピュータプログラムモジュールを実行するための手段をさらに有し、前記コンピュータプログラムモジュールが前記供給形状を与えるための手段を制御するための手段を有する、請求項１１に記載のシステム。
【請求項１３】
前記ガスのフローの一つ以上のパラメータに関する情報を伝える一つ以上の出力信号を生成するための手段と、
コンピュータプログラムモジュールを実行するための手段とをさらに有し、前記コンピュータプログラムモジュールが、
前記出力信号に基づいて治療法に従って前記生成するための手段を制御するための手段を有し、前記生成するための手段を制御するための手段が、持続的気道陽圧補助治療法、二相式圧補助治療法、若しくは強制呼吸治療法の一つ以上に従って前記生成するための手段を制御する、
請求項１１に記載のシステム。
【請求項１４】
前記与えるための手段が、持続的気道陽圧補助治療法、二相式圧補助治療法、若しくは強制呼吸治療法の一つ以上に前記与えられた形状を重ね合わせる、請求項１３に記載のシステム。
【請求項１５】
前記与えるための手段によって与えられる形状が、サイクロン気流、及び／又は一連の空気渦を有し、一連の空気渦における１又は複数の個別の空気渦がガスの渦輪を有する、請求項１１に記載のシステム。
【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
椎弓根ネジナビゲーションシステムであって、
患者の脊椎に対して取り付けられ得るよう構成された第１部分と、この第１部分に対して移動可能とされた第２部分と、を有するとともに、前記第２部分が、接触部分を構成している、椎弓根ネジナビゲータと；
前記椎弓根ネジナビゲータの前記第１部分に対して連結された第１参照デバイスと；
前記椎弓根ネジナビゲータの前記第２部分に対して連結された第２参照デバイスと；
ユーザーインターフェースと；
を具備し、
前記椎弓根ネジナビゲーションシステムが、前記椎弓根ネジナビゲータの使用による前記接触ポイントの取得から得られた参照フレームに少なくとも部分的に基づいて、椎弓根ネジまたはインプラントまたは器具の挿入をガイドし得るよう構成され、
一方の参照デバイスが、加速度計を有している、
ことを特徴とする椎弓根ネジナビゲーションシステム。
【請求項２】
請求項１記載の椎弓根ネジナビゲーションシステムにおいて、
前記椎弓根ネジナビゲータの前記第１部分が、椎骨に対しての連結のための取付ブロックを有し、
前記椎弓根ネジナビゲータの前記第２部分が、前記取付ブロックに対して移動可能に連結された見当合わせ部材を有していることを特徴とする椎弓根ネジナビゲーションシステム。
【請求項３】
請求項２記載の椎弓根ネジナビゲーションシステムにおいて、
前記見当合わせ部材が、第１軸線まわりに回転可能とされるとともに、第２軸線に沿って延出後退可能とされていることを特徴とする椎弓根ネジナビゲーションシステム。
【請求項４】
請求項１〜３のいずれか１項に記載の椎弓根ネジナビゲーションシステムにおいて、
前記椎弓根ネジナビゲータの前記第１部分が、椎骨の第１部分に対して圧縮力を印加し得るよう構成されていることを特徴とする椎弓根ネジナビゲーションシステム。
【請求項５】
請求項１〜４のいずれか１項に記載の椎弓根ネジナビゲーションシステムにおいて、
前記椎弓根ネジナビゲータの前記第１部分が、第１軸線に沿って前記第１部分を位置決めするためのピンを受領し得るよう構成された貫通穴を有していることを特徴とする椎弓根ネジナビゲーションシステム。
【請求項６】
請求項１〜５のいずれか１項に記載の椎弓根ネジナビゲーションシステムにおいて、
前記椎弓根ネジナビゲータの前記第１部分が、椎骨上に前記第１部分を保持するためのジョー部材を有していることを特徴とする椎弓根ネジナビゲーションシステム。
【請求項７】
請求項１〜６のいずれか１項に記載の椎弓根ネジナビゲーションシステムにおいて、
前記ユーザーインターフェースが、一方の参照デバイス内に収容され、
この一方の参照デバイスが、前記第１参照デバイスおよび前記第２参照デバイスに対して相互作用し得るよう構成された回路を備えていることを特徴とする椎弓根ネジナビゲーションシステム。
【請求項８】
請求項１記載の椎弓根ネジナビゲーションシステムにおいて、
前記椎弓根ネジナビゲーションシステムが、少なくとも２つの角度に関して骨内へとインプラントを案内し得るよう構成されていることを特徴とする椎弓根ネジナビゲーションシステム。
【請求項９】
請求項１記載の椎弓根ネジナビゲーションシステムにおいて、
前記椎弓根ネジナビゲータが、追加的な構成部材を取り付け得るベースを備えていることを特徴とする椎弓根ネジナビゲーションシステム。
【請求項１０】
請求項９記載の椎弓根ネジナビゲーションシステムにおいて、
前記ベースが、貫通穴を貫通するとともに第１解剖学的ランドマークのところにおいて骨内へと侵入した骨ピンによって、配置されることを特徴とする椎弓根ネジナビゲーションシステム。
【請求項１１】
請求項１記載の椎弓根ネジナビゲーションシステムにおいて、
さらに、一方の参照デバイス内に格納された患者に特有のデータセットを具備していることを特徴とする椎弓根ネジナビゲーションシステム。
【請求項１２】
請求項１記載の椎弓根ネジナビゲーションシステムにおいて、
さらに、参照平面に関連した患者に特有のデータセットを具備し、
椎弓根ネジの軌跡の配向性を、前記参照平面からの２つの角度に関して記録することができることを特徴とする椎弓根ネジナビゲーションシステム。
【請求項１３】
請求項１記載の椎弓根ネジナビゲーションシステムにおいて、
少なくとも一方の参照デバイスが、さらに、
１つまたは複数の加速度計を有した内部測定ユニットと；
プロセッサであるとともに、
（ｉ）前記加速度計から測定結果を収集する機能と、
（ｉｉ）前記加速度計からの前記測定結果を角度配向へと変換するための計算を行う機能と、
（ｉｉｉ）前記角度配向を表すデータを外科手術配向デバイスに対して送信する機能と、
のうちの１つまたは複数の機能を実行し得るよう構成されたプロセッサと；
を具備していることを特徴とする椎弓根ネジナビゲーションシステム。
【請求項１４】
請求項１記載の椎弓根ネジナビゲーションシステムにおいて、
さらに、外科手術配向デバイスを具備し、
前記外科手術配向デバイスを、一方の参照デバイス内に組み込みことができる、あるいは、個別のデバイスとすることができる、ことを特徴とする椎弓根ネジナビゲーションシステム。
【請求項１５】
請求項１４記載の椎弓根ネジナビゲーションシステムにおいて、
前記外科手術配向デバイスが、個別のデバイスとされ、
前記参照デバイスの各々が、前記外科手術配向デバイスに対してのこの個別のデバイスの配向性を表すデータを通信し得るよう構成されていることを特徴とする椎弓根ネジナビゲーションシステム。
【請求項１６】
請求項１４記載の椎弓根ネジナビゲーションシステムにおいて、
前記外科手術配向デバイスが、画像技術によって手術前に予め認識されたターゲット配向性に対しての、前記椎弓根ネジナビゲータの一部の配向性を、格納し得るよう構成されているおよび／または計算し得るよう構成されていることを特徴とする椎弓根ネジナビゲーションシステム。
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
超音波エネルギーを、患者の頭蓋へ、当該患者の当該頭蓋の周りの不同場所に付着されている第１及び第２の超音波振動子を介して非侵襲的に印可する段階と、
前記超音波エネルギーの印可を、前記第１及び前記第２の超音波振動子が交番で前記超音波エネルギーをパルス式に前記患者の前記頭蓋へ印可するように制御する段階であって、ここに前記超音波エネルギーの前記非侵襲的印可は野外にて起こっている、段階と、を備えている方法。